(57)【要約】音像定位効果を高めて画像や映像と音声との一体感が生じる良好な視聴状態を確保する。  表示面に画像が表示されるディスプレイと、ディスプレイの背面側に配置されたリアカバーと、ディスプレイとリアカバーの間に配置された第１のスピーカーと、ディスプレイとリアカバーの間に配置され第１のスピーカーより上方に位置された第２のスピーカーとを備え、第２のスピーカーは圧電素子の動作に応じて音声を出力し第１のスピーカーより音声の出力帯域が高くされた。これにより、恰も視認中のディスプレイから音声が出力されているように認識されるため、音像定位効果を高めて画像や映像と音声との一体感が生じる良好な視聴状態を確保することができる。
2020141581.tif 000002
【特許請求の範囲】
【請求項１】
表示面に画像が表示されるディスプレイと、
前記ディスプレイの背面側に配置されたリアカバーと、
前記ディスプレイと前記リアカバーの間に配置された第１のスピーカーと、
前記ディスプレイと前記リアカバーの間に配置され前記第１のスピーカーより上方に位置された第２のスピーカーとを備え、
前記第２のスピーカーは圧電素子の動作に応じて音声を出力し前記第１のスピーカーより音声の出力帯域が高くされた
表示装置。
【請求項２】
全体の高さをＬとし下端を０としたときに、
前記第２のスピーカーが０．７Ｌから０．８５Ｌまでの間に位置された
請求項１に記載の表示装置。
【請求項３】
前記第２のスピーカーが二つ設けられ、
前記二つの第２のスピーカーが左右に離隔して位置された
請求項１に記載の表示装置。
【請求項４】
内部空間が配置空間として形成されたケース体と、
前記配置空間に配置され電圧の印加により動作される圧電素子と、
前記圧電素子の動作に応じて振動し前記ケース体の内面に取り付けられた振動板とを備え、
前記ケース体には出力される音声が通過され前記配置空間に連通された音声通過孔が形成された
スピーカー。
【請求項５】
前記ケース体が前記音声通過孔に近付くに従って幅が広くなる形状に形成された
請求項４に記載のスピーカー。
【発明の詳細な説明】
【技術分野】
【０００１】
本技術は、表示面に画像が表示されるディスプレイを有しスピーカーから音声の出力が行われる表示装置についての技術分野に関する。
【背景技術】
【０００２】
テレビジョン受像器やパーソナルコンピューター等の表示装置には、画像が表示される表示面を有するディスプレイが設けられ、ディスプレイの背面側にスピーカー等が配置され、スピーカー等がリアカバーによって背面側から覆われたものがある（例えば、特許文献１参照）。【０００３】
特許文献１に記載された表示装置にあっては、ディスプレイの下端部における背面側にスピーカーが配置され、スピーカーがリアカバーによって背面側から覆われ、スピーカーから出力される音声がディスプレイの下側を通って前方へ向かう構成にされている。
【先行技術文献】
【特許文献】
【０００４】
【特許文献１】特開２００６−３１９７２３号公報
【発明の概要】
【発明が解決しようとする課題】
【０００５】
ところで、表示装置の視聴時に、使用者はディスプレイに表示される画像や映像を視認した状態で音声を聴き取るため、音声が恰も視認中のディスプレイから出力されているように認識されることが画像や映像と音声との一体感が生じ、望ましい視聴状態とされる。【０００６】
従って、ディスプレイの周囲から音声が聞こえるような認識での視聴状態は、画像や映像と音声との一体感に乏しく、使用者が画像や映像との関係において音の聞こえ方に違和感を生じ良好な音像定位を得られない可能性がある。【０００７】
そこで、本発明表示装置は、音像定位効果を高めて画像や映像と音声との一体感が生じる良好な視聴状態を確保することを目的とする。
【課題を解決するための手段】
【０００８】
第１に、本技術に係る表示装置は、表示面に画像が表示されるディスプレイと、前記ディスプレイの背面側に配置されたリアカバーと、前記ディスプレイと前記リアカバーの間に配置された第１のスピーカーと、前記ディスプレイと前記リアカバーの間に配置され前記第１のスピーカーより上方に位置された第２のスピーカーとを備え、前記第２のスピーカーは圧電素子の動作に応じて音声を出力し前記第１のスピーカーより音声の出力帯域が高くされたものである。【０００９】
これにより、第１のスピーカーから出力される音声の帯域より高域の音声が第１のスピーカーよりも上方側からディスプレイを回り込んで正面側へ向かうと共に第２のスピーカーから出力される音声の帯域より低域の音声が第２のスピーカーよりも下方側からディスプレイを回り込んで正面側へ向かうため、恰も視認中のディスプレイから音声が出力されているように認識される。【００１０】
第２に、上記した表示装置においては、全体の高さをＬとし下端を０としたときに、前記第２のスピーカーが０．７Ｌから０．８５Ｌまでの間に位置されることが望ましい。【００１１】
これにより、第２のスピーカーから出力される音声がディスプレイを左右方向から回り込んで正面側へ向かい易くなる。【００１２】
第３に、上記した表示装置においては、前記第２のスピーカーが二つ設けられ、前記二つの第２のスピーカーが左右に離隔して位置されることが望ましい。【００１３】
これにより、二つの第２のスピーカーから出力された音声をそれぞれディスプレイの左方と右方から回り込ませて正面側へ向かわせるように音声経路を設定することが可能になる。【００１４】
第４に、本技術に係るスピーカーは、内部空間が配置空間として形成されたケース体と、前記配置空間に配置され電圧の印加により動作される圧電素子と、前記圧電素子の動作に応じて振動し前記ケース体の内面に取り付けられた振動板とを備え、前記ケース体には出力される音声が通過され前記配置空間に連通された音声通過孔が形成されたものである。【００１５】
これにより、圧電素子に対する電圧の印加により振動板が振動することにより出力される音声が音声通過孔を通って外部へ向かうため、音声通過孔のケース体に対する形成位置に応じて所望の方向へ音声を導くことが可能になる。【００１６】
第５に、上記した表示装置においては、前記ケース体が前記音声通過孔に近付くに従って幅が広くなる形状に形成されることが望ましい。【００１７】
これにより、出力された音声が幅方向における両側の部分に沿って音声通過孔へ向けて進行すると共に音声通過孔の幅方向における大きさが大きくなる。
【図面の簡単な説明】
【００１８】
【図１】図２乃至図１２と共に本技術表示装置を示すものであり、本図は、表示装置の正面側を示す斜視図である。
【図２】表示装置の背面側を示す斜視図である。
【図３】リアカバーを取り外して示す表示装置の背面図である。
【図４】出力される音声が向かう方向を示す概念図である。
【図５】第２のスピーカーがバックシャーシに取り付けられた状態を示す斜視図である。
【図６】第２のスピーカーの斜視図である。
【図７】図６とは異なる方向から見た状態で示す第２のスピーカーの斜視図である。
【図８】第２のスピーカーの配置位置を示す背面図である。
【図９】表示装置の一部を示す斜視図である。
【図１０】第２のスピーカーの別の配置例を示す背面図である。
【図１１】別の第２のスピーカー等を示す斜視図である。
【図１２】別の第２のスピーカーがバックシャーシに取り付けられた状態を示す断面図である。
【発明を実施するための形態】
【００１９】
以下に、本技術表示装置を実施するための形態を添付図面に従って説明する。
【００２０】
以下に示した実施の形態は、本技術表示装置を、ディスプレイに画像を表示するテレビジョン受像器に適用したものである。
【００２１】
尚、本技術の適用範囲はテレビジョン受像器に限られることはなく、パーソナルコンピューター等に用いられるモニター等の各種の表示装置に広く適用することができる。
【００２２】
以下の説明にあっては、表示装置（テレビジョン受像器）の表示面が向く方向を前方側（正面側）として前後上下左右の方向を示す。
【００２３】
＜表示装置の構成＞
表示装置（テレビジョン受像器）１は、例えば、横長で前後方向の厚みが薄い略矩形状に形成され（図１参照）、例えば、スタンド２によって床面等の設置面に設置されたり図示しないブラケット等によって壁面に取り付けられて用いられる。
【００２４】
表示装置１は画像が表示されるディスプレイ３とディスプレイ３の後方に配置されたバックシャーシ４とディスプレイ３及びバックシャーシ４の外周側に配置されたベゼルと称される外枠５とバックシャーシ４等を後方から覆うリアカバー６とを有している（図１乃至図３参照）。
【００２５】
ディスプレイ３は前後方向を向く板状に形成され、ディスプレイ３としては、例えば、液晶ディスプレイが用いられている。ディスプレイ３は基板や偏光フィルム等の光学シートを有している。ディスプレイ３の前面は画像が表示される表示面３ａとされている。
【００２６】
バックシャーシ４は、例えば、金属材料や樹脂材料等によって外形状がディスプレイ３より一回り大きい形状に形成されている（図３参照）。バックシャーシ４は外周部を除く部分が前後方向を向くベース面部４ａとして設けられ、外周部が上部４ｂと側部４ｃ、４ｃとを有している。上部４ｂはベース面部４ａの上端に連続され上方へ行くに従って前方に変位するように傾斜されている。側部４ｃ、４ｃはそれぞれベース面部４ａの左右両端に連続され側方における外方へ行くに従って前方に変位するように傾斜されている。
【００２７】
バックシャーシ４におけるベース面部４ａの前面には図示しない素子搭載基板が取り付けられ、素子搭載基板にはバックライトとして機能する発光ダイオード等の複数の発光素子がマトリクス状に搭載されている。素子搭載基板とディスプレイ３の間には発光素子から出射された光を拡散する図示しない拡散板が配置されている。
【００２８】
バックシャーシ４におけるベース面部４ａの後面には各種の制御基板７、７、・・・が取り付けられている。制御基板７としては、例えば、表示装置１の全体の電源制御を行う電源基板、発光素子の点消灯制御を行うバックライト用基板、画像や音声等の制御を行う信号処理基板、ディスプレイ３の表示制御を行う制御基板等が設けられている。
【００２９】
バックシャーシ４におけるベース面部４ａの後面には第１のスピーカー８、８が左右に離隔して取り付けられている。尚、第１のスピーカー８の数は任意であり、一つでもよく、三つ以上であってもよい。第１のスピーカー８は、例えば、ダイナミック型のスピーカーであり、ベース面部４ａの下端部に取り付けられている。第１のスピーカー８としては、例えば、出力帯域が中音域から低音域にされたスピーカーであり、第１のスピーカー８からは音声が、例えば、下方へ向けて出力される。
【００３０】
第１のスピーカー８、８は表示装置１の左右方向における中央を基準として左右対称な位置に配置されている。第１のスピーカー８、８から出力された音声は、主として、ディスプレイ３の下方を回り込んで正面側へ向かう（図４参照）。
【００３１】
バックシャーシ４におけるベース面部４ａの後面には第２のスピーカー９、９が左右に離隔して取り付けられている（図３及び図５参照）。尚、第２のスピーカー９の数は任意であり、一つでもよく、三つ以上であってもよい。
【００３２】
上記したように、第１のスピーカー８と第２のスピーカー９はそれぞれ二つずつ設けられており、一方の第１のスピーカー８と第２のスピーカー９から右チャンネルの音声が出力され、他方の第１のスピーカー８と第２のスピーカー９から左チャンネルの音声が出力され、右側の音声と左側の音声とによってステレオモードの音声出力が行われる。
【００３３】
但し、表示装置１においては、第１のスピーカー８と第２のスピーカー９からモノラルモードの音声出力が行われてもよい。
【００３４】
第２のスピーカー９は樹脂材料によって形成されたケース体１０と電圧が印加されて動作される圧電素子１１と圧電素子１１の動作に応じて振動する振動板１２とを有する圧電素子スピーカー（ピエゾスピーカー）である（図５乃至図７参照）。
【００３５】
ケース体１０は前後の厚みの薄い扁平な形状に形成され、後面部１３と側面部１４と上面部１５と下面部１６と連結部１７と補強部１８が一体に形成されて成る。
【００３６】
後面部１３は前後方向を向き側面部１４と上面部１５と下面部１６より大きい平板状に形成されている。側面部１４は後面部１３における一方の側縁に連続され縦長の略矩形状に形成されている。上面部１５と下面部１６はそれぞれ後面部１３における上縁と下縁に連続され横長の略矩形状に形成され、上面部１５の一方の側縁と下面部１６の一方の側縁とはそれぞれ側面部１４の上下両縁に連続されている。
【００３７】
連結部１７は上面部１５の左右方向における他端部と下面部１６の左右方向における他端部とを連結し、後面部１３の前側に位置されている。従って、ケース体１０には後面部１３と上面部１５と下面部１６と連結部１７によって囲まれた開口が形成され、この開口が音声通過孔１０ａとされている。音声通過孔１０ａは左右方向において側面部１４の反対側に位置されている。
【００３８】
補強部１８は後面部１３と連結部１７を連結し、音声通過孔１０ａの上下方向における中央部に設けられている。補強部１８によって後面部１３と連結部１７の互いに離接する方向への変形が防止されている。
【００３９】
ケース体１０の前面には枠状のクッション１９が貼り付けられている。ケース体１０の内部空間は配置空間１０ｂとして形成され、音声通過孔１０ａが配置空間１０ｂに連通されている。
【００４０】
ケース体１０は上面部１５と下面部１６が左右方向において側面部１４から離隔するに従って互いに離隔する状態で緩やかに傾斜されている。従って、上面部１５と下面部１６の距離は側面部１４側の端部が最も小さく音声通過孔１０ａ側の端部が最も大きくされている。
【００４１】
圧電素子１１は、例えば、厚み方向が前後方向にされた板状に形成されている。圧電素子１１には配線板２０が接続され、配線板２０にはケーブル２１が接続されている。従って、圧電素子１１にはケーブル２１と配線板２０を介して電圧が印加される。配線板２０は、例えば、フレキシブルプリント配線板であり、クッション１９とケース体１０の間に挿入された状態でケース体１０の内外に亘って位置されて固定されている。
【００４２】
振動板１２は、例えば、厚み方向が前後方向にされた金属板であり、後面部１３の内面に接合されている。振動板１２は圧電素子１１より一回り大きくされ、振動板１２の前面には圧電素子１１が貼り付けられている。
【００４３】
従って、圧電素子１１にケーブル２１と配線板２０を介して電圧が印加され圧電素子１１が変形されると、圧電素子１１の変形に応じて振動板１２が変形されて振動する。振動板１２の振動はケース体１０にも伝達され、ケース体１０も振動板１２の振動に応じて振動する。
【００４４】
第２のスピーカー９はケース体１０がクッション１９を介してバックシャーシ４のベース面部４ａに取り付けられ、ケース体１０がクッション１９を介してベース面部４ａに取り付けられるため、ケース体１０がバックシャーシ４に対して振動可能な状態にされている。
【００４５】
第２のスピーカー９、９は音声通過孔１０ａ、１０ａが左右方向において側面部１４より外側に位置された状態でバックシャーシ４の左右両端寄りの位置、例えば、ベース面部４ａの左右両端部に取り付けられ、上下方向においてはバックシャーシ４の上半部に取り付けられ、第１のスピーカー８、８より上側に位置されている。具体的には、表示装置１の全体の高さをＬとし下端を０としたときに、第２のスピーカー９、９は０．７Ｌから０．８５Ｌまでの間に位置されている（図８参照）。
【００４６】
第２のスピーカー９は、例えば、出力帯域が高音域から中音域又は高音域にされたスピーカーであり、音声が音声通過孔１０ａから側方に放出される。第２のスピーカー９、９から出力された音声は、主として、ディスプレイ３の側方を回り込んで正面側へ向かう（図４参照）。また、第２のスピーカー９は振動板１２に加えてケース体１０も振動するため、ケース体１０の周囲にも音声が出力される。
【００４７】
外枠５は、例えば、上下左右に位置する四つの部分が結合されて構成され、バックシャーシ４の外周部に外周側から取り付けられている（図２及び図９参照）。
【００４８】
リアカバー６はバックシャーシ４より一回り小さくされ、下端部を除く部分が本体部２２として設けられている（図２参照）。リアカバー６は本体部２２の左右方向における中央部から下方に突出された突状部２３を有し、突状部２３の左右が配置用切欠６ａ、６ａとして形成されている。
【００４９】
本体部２２の上端寄りの部分には左右に延びる帯部２４が設けられ、帯部２４は前方と左右両方に開口された形状に形成されている（図９参照）。帯部２４の左右の開口は放出孔２４ａ、２４ａとして形成されている。本体部２２には帯部２４の上端部に連続して装飾部２５が設けられ、装飾部２５は左右に交互に並ぶ複数の凹凸部によって構成されている。
【００５０】
本体部２２の左右両端部には帯部２４と装飾部２５の連続部分に、上下に貫通された小孔２２ａ、２２ａ、・・・が形成されている。小孔２２ａ、２２ａ、・・・は装飾部２５の凹部と帯部２４の間に隙間を有するように本体部２２を加工することにより形成され、帯部２４の内部の空間に連通されている。
【００５１】
尚、本体部２２の左右両端部はバックシャーシ４の側部４ｃ、４ｃと同様に、それぞれ側方における外方へ行くに従って前方に変位するように傾斜されている。
【００５２】
リアカバー６はベース面部４ａを後方から覆う状態でバックシャーシ４に取り付けられる（図２参照）。リアカバー６がバックシャーシ４に取り付けられた状態においては、制御基板７、７、・・・が本体部２２又は突状部２３によって後方から覆われ、配置用切欠６ａ、６ａにそれぞれ第１のスピーカー８、８が位置され、帯部２４の左右両端部によってそれぞれ第２のスピーカー９、９が後方から覆われる。
【００５３】
リアカバー６がバックシャーシ４に取り付けられた状態においては、配置用切欠６ａ、６ａをそれぞれ閉塞するカバー２６、２６がリアカバー６に後方から取り付けられ、カバー２６、２６によってそれぞれ第１のスピーカー８、８が覆われる。カバー２６は前後方向を向く後側閉塞部２６ａと後側閉塞部２６ａの下端部から前方に突出された下側閉塞部２６ｂとを有し、下側閉塞部２６ｂにメッシュ状の放出部が形成されている。
【００５４】
従って、第１のスピーカー８から出力された中音域から低音域の音声は下側閉塞部２６ｂの放出部から下方に放出され、ディスプレイ３の下方を回り込んで正面側へ向かう。
【００５５】
一方、第２のスピーカー９から出力された高音域から中音域又は高音域の音声は、主として、ケース体１０の音声通過孔１０ａから帯部２４の放出孔２４ａを介して側方に放出され、ディスプレイ３の側方を回り込んで正面側へ向かう。また、第２のスピーカー９から出力された音声の一部は、ケース体１０から本体部２２に形成された小孔２２ａ、２２ａ、・・・を介して上方に放出され、ディスプレイ３の上方を回り込んで正面側へ向かう。
【００５６】
＜まとめ＞
以上に記載した通り、表示装置１にあっては、ディスプレイ３とリアカバー６の間に配置された第１のスピーカー８と、ディスプレイ３とリアカバー６の間に配置され第１のスピーカー８より上方に位置された第２のスピーカー９とを備え、第２のスピーカー９は圧電素子１１の動作により音声を出力し第１のスピーカー８より音声の出力帯域が高くされている。
【００５７】
従って、第１のスピーカー８から出力される音声の帯域より高域の音声が第１のスピーカー８よりも上方側からディスプレイ３を回り込んで正面側へ向かうと共に第２のスピーカー９から出力される音声の帯域より低域の音声が第２のスピーカー９よりも下方側からディスプレイ３を回り込んで正面側へ向かう。
【００５８】
これにより、恰も視認中のディスプレイから音声が出力されているように認識され、音像定位効果を高めて画像や映像と音声との一体感が生じる良好な視聴状態を確保することができる。
【００５９】
特に、ディスプレイ３を回り込んだ第１のスピーカー８から出力された音声とディスプレイ３を回り込んだ第２のスピーカー９から出力された音声とが、使用者において恰も視認中のディスプレイ３の中央部から出力されているように認識され易くなり、画像や映像と音声との一体感により臨場感のある視聴状態を確保することができる。
【００６０】
また、表示装置１の全体の高さをＬとし下端を０としたときに、第２のスピーカー９が０．７Ｌから０．８５Ｌまでの間に位置されている。
【００６１】
従って、第１のスピーカー８より高音域の音声を出力する第２のスピーカー９が上端側において所定の範囲に位置されるため、第２のスピーカー９から出力される音声がディスプレイ３を左右方向から回り込んで正面側へ向かい易くなるため、音像の高い定位効果を確保することができる。
【００６２】
さらに、二つの第２のスピーカー９、９が設けられ、二つの第２のスピーカー９、９が左右に離隔して位置されている。
【００６３】
従って、二つの第２のスピーカー９、９から出力された音声をそれぞれディスプレイ３の左方と右方から回り込ませて正面側へ向かわせるように音声経路を設定することが可能になるため、音像の広がり感及び良好な音像定位が得られ、使用者において臨場感のある視聴状態を確保することができる。
【００６４】
特に、二つの第２のスピーカー９、９がバックシャーシ４の左右両端寄りの位置に取り付けられることにより、第２のスピーカー９、９から出力された音声がそれぞれディスプレイ３の左方と右方から回り込み易くなり、一層の音像の広がり感及びより良好な音像定位を得ることができる。
【００６５】
また、第２のスピーカー９はケース体１０と圧電素子１１と振動板１２を有し、ケース体１０には出力される音声が通過され配置空間１０ｂに連通された音声通過孔１０ａが形成されている。
【００６６】
従って、圧電素子１１に対する電圧の印加により振動板１２が振動することにより出力される音声が音声通過孔１０ａを通って外部へ向かうため、音声通過孔１０ａのケース体１０に対する形成位置に応じて所望の方向へ音声を導くことが可能になり、音像定位を高めて良好な視聴状態を確保することができる。
【００６７】
さらに、ケース体１０が音声通過孔１０ａに近付くに従って幅が広くなる形状に形成されているため、出力された音声が幅方向における両側の面部である上面部１５と下面部１６に沿って音声通過孔１０ａへ向けて進行すると共に音声通過孔１０ａの幅方向における大きさが大きくなり、音声通過孔１０ａから高い音圧の音声を円滑に放出することができる。
【００６８】
＜その他＞
上記には、第２のスピーカー９、９がバックシャーシ４の左右両端寄りの位置に配置された例を示したが、第２のスピーカー９、９は第１のスピーカー８より上方に位置されていれば何れの位置に配置することも可能である。
【００６９】
第２のスピーカー９、９は、例えば、バックシャーシ４の左右両端部に配置されていてもよい（図１０参照）。第２のスピーカー９、９がバックシャーシ４の左右両端部に配置されることにより、第２のスピーカー９、９から出力された音声がそれぞれディスプレイ３の左方と右方から回り込み易くなり、音像の広がり感及び良好な音像定位を得ることができる。
【００７０】
また、上記には、内部空間１０ｂを有するケース体１０を備えた第２のスピーカー９を例として示したが、第２のスピーカー９に代えて以下のようなケース体の構成が異なる第２のスピーカー９Ａを用いることも可能である（図１１及び図１２参照）。
【００７１】
第２のスピーカー９Ａは樹脂材料によって形成されたケース体１０Ａと電圧が印加されて動作される圧電素子１１と圧電素子１１の動作に応じて振動する振動板１２とを有する。
【００７２】
ケース体１０Ａは振動板１２が取り付けられる取付部３０と取付部３０から突出された脚部３１、３１とを有している。取付部３０は略矩形の板状に形成され、厚み方向における一方に開口された浅い凹部３０ａを有している。脚部３１、３１は取付部３０の厚み方向における他方の面から突出され、上下に離隔して設けられている。取付部３０は脚部３１の突出方向に対して傾斜されている。脚部３１、３１の先端面にはそれぞれクッション１９、１９が貼り付けられている。
【００７３】
取付部３０には振動板１２が凹部３０ａに配置された状態で接合されている。
【００７４】
第２のスピーカー９Ａが用いられる例においては、例えば、バックシャーシ４Ａが用いられており、バックシャーシ４Ａは全体が略平板状に形成されている。また、第２のスピーカー９Ａが用いられる例においては、例えば、リアカバー６Ａが用いられており、リアカバー６Ａはバックシャーシ４Ａと略同じ大きさに形成され、左右両端部が左右方向における両端に近付くに従ってバックシャーシ４Ａに近付くように傾斜されている。
【００７５】
第２のスピーカー９Ａはケース体１０Ａの脚部３１、３１がクッション１９、１９を介してバックシャーシ４Ａの左右方向における端部に取り付けられ、ケース体１０Ａがクッション１９、１９を介してバックシャーシ４Ａに両面テープで取り付けられるため、ケース体１０Ａがバックシャーシ４Ａに対して振動可能な状態にされている。または、ネジ止めで取り付けられても良い。
【００７６】
第２のスピーカー９Ａはケース体１０Ａの取付部３０が傾斜されており、バックシャーシ４Ａに取り付けられた状態において取付部３０がリアカバー６Ａの傾斜状態に沿って位置される。従って、取付部３０に取り付けられた圧電素子１１と振動板１２はリアカバー６Ａの内面に略平行な状態で対向して位置される。
【００７７】
第２のスピーカー９Ａから出力された音声は、放出孔２４ａを介して側方に放出され、ディスプレイ３の側方を回り込んで正面側へ向かう。
【００７８】
尚、第２のスピーカー９Ａが用いられた例においては、リアカバー６Ａにおける圧電素子１１と振動板１２に対向する位置に前後に貫通された放出孔が形成されていてもよく、このような放出孔が形成されている場合には、第２のスピーカー９Ａから出力された音声が放出孔を介して後方に放出され、ディスプレイ３の側方や上方を回り込んで正面側へ向かう。
【００７９】
また、リアカバー６Ａに小孔２２ａ、２２ａ、・・・が形成されていてもよく、小孔２２ａ、２２ａ、・・・が形成されている場合には、第２のスピーカー９Ａから出力された音声が小孔２２ａ、２２ａ、・・・を介して上方に放出され、ディスプレイ３の上方を回り込んで正面側へ向かう。
【００８０】
上記のように第２のスピーカー９Ａが用いられる場合には、ケース体１０Ａが略板状に形成されており、配置されるスペースに応じて脚部３１、３１の取付部３０からの突出方向における長さを変えることにより、小さなスペースに第２のスピーカー９Ａを配置することが可能になる。従って、第２のスピーカー９Ａの小型化を図ることができると共にスペースの有効活用による設計の自由度の向上を図ることができる。
【００８１】
また、第２のスピーカー９Ａ、９Ａを左右両端部に配置することが可能になるため、第２のスピーカー９Ａ、９Ａから出力された音声がそれぞれディスプレイ３の左方と右方から回り込み易くなり、音像の広がり感及び良好な音像定位を得ることができる。
【００８２】
＜本技術＞
本技術は、以下のような構成にすることもできる。
【００８３】
（１）
表示面に画像が表示されるディスプレイと、
前記ディスプレイの背面側に配置されたリアカバーと、
前記ディスプレイと前記リアカバーの間に配置された第１のスピーカーと、
前記ディスプレイと前記リアカバーの間に配置され前記第１のスピーカーより上方に位置された第２のスピーカーとを備え、
前記第２のスピーカーは圧電素子の動作に応じて音声を出力し前記第１のスピーカーより音声の出力帯域が高くされた
表示装置。
【００８４】
（２）
全体の高さをＬとし下端を０としたときに、
前記第２のスピーカーが０．７Ｌから０．８５Ｌまでの間に位置された
前記（１）に記載の表示装置。
【００８５】
（３）
前記第２のスピーカーが二つ設けられ、
前記二つの第２のスピーカーが左右に離隔して位置された
前記（１）又は前記（２）に記載の表示装置。
【００８６】
（４）
内部空間が配置空間として形成されたケース体と、
前記配置空間に配置され電圧の印加により動作される圧電素子と、
前記圧電素子の動作に応じて振動し前記ケース体の内面に取り付けられた振動板とを備え、
前記ケース体には出力される音声が通過され前記配置空間に連通された音声通過孔が形成された
スピーカー。
【００８７】
（５）
前記ケース体が前記音声通過孔に近付くに従って幅が広くなる形状に形成された
前記（４）に記載のスピーカー。
【符号の説明】
【００８８】
１・表示装置、３・ディスプレイ、３ａ・表示面、６・リアカバー、８・第１のスピーカー、９・第２のスピーカー、１０・ケース体、１０ａ・音声通過孔、１０ｂ・配置空間、１１・圧電素子、１２・振動板、９Ａ・第２のスピーカー、１０Ａ・ケース体
【図１】
2020141581.tif 000003
【図２】
2020141581.tif 000004
【図３】
2020141581.tif 000005
【図４】
2020141581.tif 000006
【図５】
2020141581.tif 000007
【図６】
2020141581.tif 000008
【図７】
2020141581.tif 000009
【図８】
2020141581.tif 000010
【図９】
2020141581.tif 000011
【図１０】
2020141581.tif 000012
【図１１】
2020141581.tif 000013
【図１２】
2020141581.tif 000014
【国際調査報告】
2020141581.tif 000015
2020141581.tif 000016
2020141581.tif 000017
2020141581.tif 000018
2020141581.tif 000019
2020141581.tif 000020